(57)【要約】【課題】手の届き難い、最上段等のデッドスペースの有効活用を図ることのできる吊り戸棚を提供する。【解決手段】複数の棚板を備えた収納棚本体と、前記収納棚本体の開口部を覆うように回動可能に軸支された扉体と、前記扉体の内側面で、扉体を閉じた際に前記棚板と干渉しない位置に収納棚を設けると共に、前記収納棚は、可動支持部材を介して前記扉体に取付けられ、垂直方向の位置を変更可能であるので、手の届き難い、最上段等のデッドスペースを有効活用することができる。【選択図】図１
2015036003.tif 000002
【特許請求の範囲】
【請求項１】
複数の棚板を備えた収納棚本体と、
前記収納棚本体の開口部を覆うように回動可能に軸支された扉体と、
前記扉体の内側面で、扉体を閉じた際に前記棚板と干渉しない位置に収納棚を設けると共に、
前記収納棚は、可動支持部材を介して前記扉体に取付けられ、垂直方向の位置を変更可能であることを特徴とする吊り戸棚。
【請求項２】
請求項１に記載の吊り戸棚において、前記収納棚は、前記扉体に設けられた可動支持部材に対して着脱可能に取付けられていることを特徴とする吊り戸棚。
【請求項３】
請求項１または請求項２に記載の吊り戸棚において、
前記可動支持部材は前記扉体の垂直方向に配設されたレールと、
前記レールに対して移動可能に遊嵌され前記収納棚の取付けられるスライダーと、
前記スライダーを上昇した待機位置に向けて付勢する付勢手段とから成ることを特徴とする吊り戸棚。
【請求項４】
請求項３に記載の吊り戸棚において、
前記スライダーもしくは収納棚より吊下され、前記付勢手段に抗して前記収納棚を下降移動させるための作動部材を備えたことを特徴とする吊り戸棚。
【請求項５】
請求項３または請求項４に記載の吊り戸棚において、
前記付勢手段は、前記スライダーを上昇した待機位置で停止させると共に、
作動部材により下降された下降位置でも停止することを特徴とする吊り戸棚。
【請求項６】
請求項１から請求項５の何れか１項に記載の吊り戸棚において、
前記収納棚の平面視した一辺は、前記扉体の回動軸を中心とした円弧状に形成されたことを特徴とする吊り戸棚。
【発明の詳細な説明】
【技術分野】
【０００１】
この発明は、台所や洗面所等の室内の上部空間を有効利用するために設置される吊り戸棚に係り、手の届かない部位に物品を収納したり、物品を取り出す作業を容易に行うことのできる吊り戸棚に関するものである。
【背景技術】
【０００２】
例えば、従来の収納用キャビネット或いは、吊り戸棚は、キャビネット本体及び扉体に固定式の棚板を設けている。そして、棚板の位置は、固定ビスの位置を変更することにより変更していた。また、棚板の位置を変更できないものも存在した。
【先行技術文献】
【特許文献】
【０００３】
【特許文献１】実用新案登録第２５７８１５７号公報
【発明の概要】
【発明が解決しようとする課題】
【０００４】
従来の収納用キャビネット或いは、吊り戸棚は、棚板が固定式であるために高い位置の棚板上の物品には手が届き難く、使い勝手が悪い上にデッドスペースが生じ易いと云う欠点が存在した。
【０００５】
この発明は、上記したような不都合を解消するためになされたもので、収納棚本体の開口部を覆うように回動可能に軸支された扉体に、可動支持部材を介して収納棚を設け、収納棚の垂直方向の位置を変更可能として、高い位置にあり手の届き難い収納棚を低い位置まで下降させることにより、デッドスペースの有効利用を図ることのできる吊り戸棚を提供するものである。
【課題を解決するための手段】
【０００６】
この発明は、以下のような内容である。
（１）本願発明の吊り戸棚は、複数の棚板を備えた収納棚本体と、前記収納棚本体の開口部を覆うように回動可能に軸支された扉体と、前記扉体の内側面で、扉体を閉じた際に前記棚板と干渉しない位置に収納棚を設けると共に、前記収納棚は、可動支持部材を介して前記扉体に取付けられ、垂直方向の位置を変更可能であることを特徴とする。
（２）（１）に記載の吊り戸棚において、前記収納棚は、前記扉体に設けられた可動支持部材に対して着脱可能に取付けられていることを特徴とする。
（３）（１）または（２）に記載の吊り戸棚において、前記可動支持部材は前記扉体の垂直方向に配設されたレールと、前記レールに対して移動可能に遊嵌され前記収納棚の取付けられるスライダーと、前記スライダーを上昇した待機位置に向けて付勢する付勢手段とから成ることを特徴とする。
（４）（１）〜（３）に記載の吊り戸棚において、前記スライダーもしくは収納棚より吊下され、前記付勢手段に抗して前記収納棚を下降移動させるための作動部材を備えたことを特徴とする。
（５）（１）〜（４）に記載の吊り戸棚において、前記付勢手段は、前記スライダーを上昇した待機位置で停止させると共に、作動部材により下降された下降位置でも停止することを特徴とする。
（６）（１）〜（５）に記載の吊り戸棚において、前記収納棚の平面視した一辺は、前記扉体の回動軸を中心とした円弧状に形成されたことを特徴とする。
【発明の効果】
【０００７】
この発明によれば、複数の棚板を備えた収納棚本体と、前記収納棚本体の開口部を覆うように回動可能に軸支された扉体と、前記扉体の内側面で、扉体を閉じた際に前記棚板と干渉しない位置に収納棚を設けると共に、前記収納棚は、可動支持部材を介して前記扉体に取付けられ、垂直方向の位置を変更可能であるので、手の届き難い、最上段のデッドスペースを有効活用することができる。
また、前記収納棚は、前記扉体に設けられた可動支持部材に対して着脱可能に取付けられているので、種々の収納棚を配置することができる。
また、前記可動支持部材は前記扉体の垂直方向に配設されたレールと、前記レールに対して移動可能に遊嵌され前記収納棚の取付けられるスライダーと、前記スライダーを上昇した待機位置に向けて付勢する付勢手段とから成るので、収納棚を待機位置に自動復帰させることができる。
また、前記スライダーもしくは収納棚より吊下され、前記付勢手段に抗して前記収納棚を下降移動させるための作動部材を備えたので、収納棚の上昇及び下降動作を容易にすることができる。
また、前記付勢手段は、前記スライダーを上昇した待機位置で停止させると共に、作動部材により下降された下降位置でも停止するので、収納棚への物品の出し入れが容易となる。
また、前記収納棚の平面視した一辺は、前記扉体の回動軸を中心とした円弧状に形成されたので、扉体を開閉する際に収納棚が収納棚本体に干渉する畏れがない。
【図面の簡単な説明】
【０００８】
【図１】図１は、本発明の第１の実施形態である吊り戸棚の扉体を開いた状態を示す説明図である。
【図２】図２は、同吊り戸棚の扉体に取付けた収納棚を下降させた状態を示す説明図である。
【図３】図３は、同収納棚を移動させる為の可動支持部材を示す説明図である。
【図４】図４は、同可動支持部材を構成するスライダーを示す斜視図である。
【図５】図５は、左右のスライダーを組み合わせた状態を示す斜視図である。
【図６】図６は、同スライダーに収納棚を取付けた状態を示す背面から見た説明図である。
【図７】図７は、収納棚の側面図である。
【図８】図８は、同収納棚の平面図である。
【図９】図９は、同収納棚のＡ−Ａ線拡大断面図である。
【図１０】図１０は、本発明の他の実施形態である吊り戸棚の扉体を開いた状態を示す説明図である。
【図１１】図１１は、同収納棚の側面図である。
【図１２】図１２は、同収納棚の平面図である。
【図１３】図１３は、同収納棚のB−B線拡大断面図である。
【発明を実施するための形態】
【０００９】
本発明は、扉体を閉じた際に収納棚本体に設けた棚板と干渉しない位置の扉体に可動支持部材を介して収納棚を設け、収納棚の垂直方向の位置を変更可能としたので、手の届き難い、最上段のデッドスペースを有効活用することができる。
【実施例１】
【００１０】
以下、一実施の形態を示す図面に基づいて本発明を詳細に説明する。図１は本発明の第１の実施形態である吊り戸棚の扉体を開いた状態を示す説明図、図２は本願発明の吊り戸棚の扉体に取付けた収納棚を下降させた状態を示す説明図である。ここで、本発明の吊り戸棚１０は、複数の棚板１１を備えた収納棚本体１２と、収納棚本体１２の開口部１２ａを覆うように回動可能に軸支された扉体１３と、扉体１３の内側面１３ａで、扉体１３を閉じた際に棚板１１と干渉しない位置に収納棚１４を設けると共に、収納棚１４は、可動支持部材１５を介して扉体１３に取付けられ、垂直方向の位置を変更可能に構成されている。
【００１１】
収納棚本体１２は、図１、２に示すように正面に開口部１２ａを有すると共に、背面が壁等に固定されている。また、内部には、棚板１１が設けられている。更に、正面の開口部１２ａには、扉体１３がヒンジ１６を介して回動可能に軸支されている。
【００１２】
扉体１３は、平板状であり内側面１３ａに可動支持部材１５が鉛直方向に配置されている。本実施の形態では、２本の可動支持部材１５が平行に配置されている。また、可動支持部材１５には、収納棚１４が着脱可能に取付けられている。
【００１３】
可動支持部材１５は、図３〜図５等に示すようにレール１７と、レール１７に対して移動可能に遊嵌され、収納棚１４の取付けられるスライダー１８と、スライダー１８を上昇した待機位置に向けて付勢する付勢手段１９とから構成されている。レール１７は、金属或いは、合成樹脂から構成され、スライダー１８の一部と係合しつつ案内する案内フランジ１７ａと、スライダー１８に設けられた回転ダンパー２０と係合するラック歯車１７ｂを備えている。
【００１４】
スライダー１８は、レール１７の案内フランジ１７ａと係合する係合凹部１８ａと回転ダンパー２０を保持する凹部１８ｂと、付勢手段１９の一端が固定されるビス孔１８ｃと、側方向に延設された腕部１８ｄを備えている。スライダー１８は、左右が点対称に構成されており、左右の腕部１８ｄを嵌合することにより、一体化することができる。腕部１８ｄには、フランジ部２７と凹部２８とが形成されており、それぞれを嵌合することができる。
【００１５】
付勢手段１９は、例えばコンストンスプリング（定荷重ばね）を使用することができ、コンストンスプリングの本体１９ａを扉体１３に固定すると共に、伸縮する先端１９ｂをスライダー１８のビス孔１８ｃに固定する。このように構成することで、スライダー１８は常に一定の力で上昇した待機位置に戻るように付勢される。
回転ダンパー２０は、ラック歯車１７ｂに噛合しており、スライダー１８の移動速度を一定にすることができる。
また、付勢手段１９は、スライダー１８を上昇した待機位置で停止させると共に、作動部材である紐２２により下降された下降位置でも停止するよう構成してもよい。
【００１６】
収納棚１４は、図７〜図９に示すように扉体１３の回動中心Ｏを中心とする円弧状に形成された辺１４ａと、直交配置された辺１４ｂ、１４ｃ及び扇形の底部１４ｄとから構成されている。また、辺１４ｂの外側にはスライダー１８に取付けるための係合爪２１が形成されている。更に、底部１４ｄの辺１４ｂの近傍には、作動部材である紐２２を取付けるための係合部２３が形成されている。また、紐２２は、チェーン等の部材であってもよい。
このように、収納棚１４の外側辺が扉体１３の回動中心Ｏを中心とする円弧状に形成されているので、扉体１３を開閉する際に収納棚本体１２に収納された物品との干渉を防ぐことができる。また、収納棚１４は、係合爪２１でスライダー１８に対して着脱可能とすることができる。
【００１７】
以上のように構成された吊り戸棚１０は、図１に示すように扉体１３に設けられた収納棚１４が付勢手段１９によって上昇した待機位置で停止している。この待機位置は、棚板１１と干渉しない位置である。次に、図２に示すように紐２２を引いて吊り戸棚１０を手の届く位置まで下降させ、物品を収納した後、再度上昇させる。このようにして、手の届き難い、棚の最上段のデッドスペースを有効に活用することができる。
【００１８】
図１０〜図１３は、本発明の他の実施形態である吊り戸棚を示す説明図である。本実施の形態において、収納棚本体１２、扉体１３、可動支持部材１５、ヒンジ１６、レール１７等は、第１の実施形態と同様であり収納棚２４のみが相違する。
【００１９】
収納棚２４は、扉体１３の回動中心Ｏを中心とする円弧状に形成された辺２４ａと、直交配置された辺２４ｂ、２４ｃ及び辺２４ｂと平行配置された辺２４ｄと、底部２４ｅとから構成されている。また、辺２４ｂの外側にはスライダー１８に取付けるための係合爪２５が形成されている。更に、底部２４ｅの辺２４ｂの近傍には、作動部材である紐２２を取付けるための係合部２６が形成されている。
【００２０】
以上のように構成された吊り戸棚は、図１０に示すように扉体１３に設けられた収納棚２４が付勢手段１９によって上昇した待機位置で停止している。この待機位置は、棚板１１と干渉しない位置である。次に、紐２２を引いて吊り戸棚１０を手の届く位置まで下降させ、物品を収納した後、再度上昇させる。このようにして、手の届き難い、棚の最上段のデッドスペースを有効に活用することができる。
【００２１】
上記した実施の形態において、収納棚１４を構成する部材を透明な部材若しくは、網部材で構成した場合、下から収納物を目視により確認することができる。
【００２２】
尚、以上の実施例は、付勢手段１９に抗して収納棚１４を下降移動させるための作動部材を収納棚１４に形成する場合について説明したが、スライダー１８側に形成してもよい。本発明は上述の実施例に限定されることなく、特許請求の範囲の記載に基づいて種々の設計変更が可能である。
【符号の説明】
【００２３】
１０    吊り戸棚
１１    棚板
１２    収納棚本体
１２ａ  開口部
１３    扉体
１３ａ  内側面
１４    収納棚
１４ａ〜ｃ  辺
１４ｄ  底部  
１５    可動支持部材
１６    ヒンジ
１７    レール
１７ａ  案内フランジ
１７ｂ  ラック歯車
１８    スライダー
１８ａ  係合凹部
１８ｂ  凹部
１８ｃ  ビス孔
１８ｄ  腕部
１９    付勢手段
２０    回転ダンパー
２１    係合爪
２２    紐（作動部材）
２３    係合部
２４    収納棚
２５    係合爪
２６    係合部
２７    フランジ部
２８    凹部
【図１】
2015036003.tif 000003
【図２】
2015036003.tif 000004
【図３】
2015036003.tif 000005
【図４】
2015036003.tif 000006
【図５】
2015036003.tif 000007
【図６】
2015036003.tif 000008
【図７】
2015036003.tif 000009
【図８】
2015036003.tif 000010
【図９】
2015036003.tif 000011
【図１０】
2015036003.tif 000012
【図１１】
2015036003.tif 000013
【図１２】
2015036003.tif 000014
【図１３】
2015036003.tif 000015